(57)【特許請求の範囲】
【請求項１】
加速度センサーと、
加速度センサーから加速度データを取得する加速度データ取得部と、
加速度データを分析するための演算式を格納した演算式格納部と、
加速度データ取得部が取得した加速度データを、演算式格納部が格納している演算式を利用して直ちに分析する分析部と、
分析結果と分析結果を描写する動作描写情報とを関連付けたテーブルを保持するテーブル保持部と、
加速度データの分析結果に応じた動作描写情報を取得する動作描写情報取得部と、
動作描写情報を出力する動作描写情報出力部と、
分析部での分析結果の履歴を保持する分析結果履歴保持部と、
コースＩＤを一以上保持するコースＩＤ保持部と、を有し、
分析結果履歴保持部は、
コースＩＤと関連付けて分析結果履歴を保持するコース別履歴保持手段を有する
携帯端末装置。
【請求項２】
分析部は、
分析した加速度データの分析結果を、分析結果履歴保持部が保持する分析結果履歴と比較する履歴比較分析手段を有する請求項１に記載の携帯端末装置。
【請求項３】
コースＩＤの入力を受付けるコースＩＤ受付部をさらに有し、
分析部の履歴比較分析手段は、
分析した加速度データの分析結果を、コースＩＤ受付部で受付けたコースＩＤと関連付けられている分析結果履歴のみと比較する第一特定履歴比較分析器を有する
請求項２に記載の携帯端末装置。
【請求項４】
コースＩＤ保持部は、
コースＩＤを地理的情報と関連付けて保持する地理付コースＩＤ保持手段を有し、
コースＩＤを特定するための現在地の地理的情報を取得する地理的情報取得部をさらに有し、
分析部の履歴比較分析手段は、
分析した加速度データの分析結果を、地理的情報取得部で取得した現在地の地理的情報で特定されるコースＩＤと関連付けられている分析結果履歴のみと比較する第二特定履歴比較分析器を有する
請求項２又は３に記載の携帯端末装置。
【請求項５】
出力された動作描写情報を外部機器に送信する送信部をさらに有する請求項１から４のいずれか一に記載の携帯端末装置。
【請求項６】
傾き検知部をさらに有し、
動作描写情報取得部は、
傾き検知部で検知される傾きに応じて動作描写情報を取得する傾き対応取得手段を、
有する請求項１から５のいずれか一に記載の携帯端末装置。
【請求項７】
加速度センサーから加速度データを取得する加速度データ取得ステップと、
加速度データ取得ステップで取得した加速度データを、格納されている演算式を利用して直ちに分析する分析ステップと、
加速度データの分析結果に応じた動作描写情報を取得する動作描写情報取得ステップと、
動作描写情報を出力する動作描写情報出力ステップと、
コースＩＤの入力を受付けるコースＩＤ受付ステップと、を有し、
分析ステップは、
分析した加速度データの分析結果を、分析結果の履歴である分析結果履歴と比較する履歴比較分析サブステップを有し、
履歴比較分析サブステップは、
分析した加速度データの分析結果を、コースＩＤ受付ステップで受付けたコースＩＤと関連付けられている分析結果履歴のみと比較する第一特定履歴比較分析サブステップを有する携帯端末装置の動作方法。
【請求項８】
コースＩＤを特定するための現在地の地理的情報を取得する地理的情報取得ステップをさらに有し、
分析ステップの履歴比較分析サブステップは、
分析した加速度データの分析結果を、地理的情報取得ステップで取得した現在地の地理的情報で特定されるコースＩＤと関連付けられている分析結果履歴のみと比較する第二特定履歴比較分析サブステップを有する
請求項７に記載の携帯端末装置の動作方法。
【請求項９】
出力された動作描写情報を外部機器に送信する送信ステップをさらに有する請求項７又は８に記載の携帯端末装置の動作方法。
【請求項１０】
傾きを検知する傾き検知ステップと、
傾き検知ステップで検知される傾きに応じて動作描写情報を取得する動作描写情報取得ステップの傾き対応取得サブステップ
を有する請求項７から９のいずれか一に記載の携帯端末装置の動作方法。
【発明の詳細な説明】
【技術分野】
【０００１】
本発明は、ウォーキングやジョギングなどの運動を行っている者に対し、その時点で行っている行為を継続して実施するための動機付けとなる有用情報を提供する装置に関する。
【背景技術】
【０００２】
近年の健康ブームにより、脂肪燃焼などを目的としてウォーキングやジョギングなどの有酸素運動を行う人が増えている。ウォーキングなどの有酸素運動により脂肪を燃焼させるためには、諸説あるものの、最低でも１０〜２０分程度は継続して行う必要があるといわれている。しかしながら、ウォーキングなどの運動が苦手な人や、運動不足解消のためにウォーキングなどを開始したばかりの人にとっては、当該時間を確保するのが困難であったりする。
【０００３】
また、ウォーキングなどの有酸素運動は、当然に長時間行うほどその効果は上がる。しかしながら、長時間行うほど疲労も蓄積し、継続するのが困難になってくる。
【０００４】
そこで、ウォーキングやジョギングなどを継続して実施するための動機付けになりうる装置などの発明として、特許文献１のような発明がなされている。特許文献１の発明は、携帯電話機に歩数計の機能を備え付け、その携帯電話機を利用してウォーキングなどの歩数を測定する。そして、測定したデータをインターネット上のサーバに送信し、履歴を蓄積していく。サーバは、蓄積した履歴を利用して、週別、月別、年別の歩数総計などを算出し、あらかじめ利用者が設定登録しておいた目標数値と比較する。そして、比較結果に応じて、「○月○日から△月△日までの１日当平均歩数は□歩でした。この調子で頑張りましょう。」などのメッセージを利用者に送信するというものである。当該発明により、利用者は、過去の自己の実績（歩数など）を知ることができ、自己の目標の達成度などを容易に認識することができる。また、「この調子で頑張りましょう。」などの文章により励まされたりする。その結果、「この調子で頑張ろう。」という気持ちになれたり、「気持ちを入れ替えてこれからは頑張ろう。」という気持ちになれたりする。
【０００５】
しかしながら、特許文献１の発明は、一日のあらかじめ定められた時間に、その日に計測した歩数等のデータをサーバに送信し、そのタイミングで前記のような有用情報を受信するというものであり、ウォーキングなどを行っている最中に有用情報を受信するというものではない。ゆえに、１週間や１ヶ月などのように長いスパンでウォーキングなどを継続的に行うための動機付けにはなるものの、現時点で行っているウォーキングなどを継続して行うための動機付けにはなりにくい。
【０００６】
そこで、ウォーキングなどを行っている最中に、その人間に有用情報を送信するような発明として、特許文献２のようなものがなされている。特許文献２の発明は、携帯情報端末に、歩数計のほか、体温計、脈拍計、血圧計などの機能を備え付けたものである。そして、利用者がウォーキングなどを行っている最中に、前記のような機能を利用して利用者に関するデータを取得すると、リアルタイムでそのデータをインターネット上のサーバに送信する。そして、前記データを受信したサーバは、利用者（ウォーキングなどを行っている者）の健康状態をリアルタイムで判別し、必要に応じて利用者に対して適切なアドバイスを送信したりする。
【０００７】
当該発明により、利用者は、ウォーキングなどを行っている最中に、自己の健康状態などを示す有用情報を受け取り、確認することができる。しかしながら、特許文献２の発明は、ウォーキングなどを行っている最中に利用者の健康状態のチェックを行うことを目的としてなされたものである。よって、特許文献２の発明は、現時点で行っているウォーキングなどを継続して行うための動機付けにはなりにくい。
【特許文献１】特開２００３−５７２
【特許文献２】特開２００３−５０８６７
【発明の開示】
【発明が解決しようとする課題】
【０００８】
そこで、本発明では、ウォーキングやジョギングなどを行っている利用者に対し、現在行っているウォーキングなどを継続して行うための動機付けとなる有用情報を提供する携帯端末装置を提供することを課題とする。
【課題を解決するための手段】
【０００９】
上記課題を解決するための手段として、以下のような発明などを提供する。
【００１０】
ウォーキングなどを行っている利用者の歩数、歩行リズム、ゆれの大きさ、それらの時間変化などを計測し、それらの情報を利用して利用者に有用情報を提供する携帯端末装置などを提供する。また、前記計測結果を蓄積していき、現時点の計測結果と過去の履歴とを利用して、利用者に有用情報を提供する携帯端末装置などを提供する。さらに、前記過去の履歴はウォーキングなどを実施したコースごとに蓄積し、現時点で利用者がウォーキングなどを行っているコースを認識すると、当該コースにおける過去履歴のみを利用して、状況に適合した有用情報を利用者に提供する携帯端末装置などを提供する。
【００１１】
具体的には、以下のような発明を提供する。
【００１２】
第一発明では、加速度センサーと、加速度センサーから加速度データを取得する加速度データ取得部と、加速度データを分析するための演算式を格納した演算式格納部と、加速度データ取得部が取得した加速度データを、演算式格納部が格納している演算式を利用して直ちに分析する分析部と、分析結果と分析結果を描写する動作描写情報とを関連付けたテーブルを保持するテーブル保持部と、加速度データの分析結果に応じた動作描写情報を取得する動作描写情報取得部と、動作描写情報を出力する動作描写情報出力部とを有する携帯端末装置を提供する。
【００１３】
第二発明では、第一発明を基本とし、さらに、分析部での分析結果の履歴を保持する分析結果履歴保持部をさらに有する携帯端末装置を提供する。
【００１４】
第三発明では、第二発明を基本とし、さらに、分析部は、分析した加速度データの分析結果を、分析結果履歴保持部が保持する分析結果履歴と比較する履歴比較分析手段を有する携帯端末装置を提供する。
【００１５】
第四発明では、第二発明または第三発明を基本とし、さらに、コースＩＤを一以上保持するコースＩＤ保持部を有し、分析結果履歴保持部は、コースＩＤと関連付けて分析結果履歴を保持するコース別履歴保持手段を有する携帯端末装置を提供する。
【００１６】
第五発明では、第四発明を基本とし、さらに、コースＩＤの入力を受付けるコースＩＤ受付部をさらに有し、分析部の履歴比較分析手段は、分析した加速度データの分析結果を、コースＩＤ受付部で受付けたコースＩＤと関連付けられている分析結果履歴のみと比較する第一特定履歴比較分析器を有する携帯端末装置を提供する。
【００１７】
第六発明では、第四発明または第五発明を基本とし、さらに、コースＩＤ保持部は、コースＩＤを地理的情報と関連付けて保持する地理付コースＩＤ保持手段を有し、コースＩＤを特定するための現在地の地理的情報を取得する地理的情報取得部をさらに有し、分析部の履歴比較分析手段は、分析した加速度データの分析結果を、地理的情報取得部で取得した現在地の地理的情報で特定されるコースＩＤと関連付けられている分析結果履歴のみと比較する第二特定履歴比較分析器を有する携帯端末装置を提供する。
【００１８】
第七発明では、第一発明から第六発明のいずれか一を基本とし、さらに、出力された動作描写情報を外部機器に送信する送信部をさらに有する携帯端末装置を提供する。
【００１９】
第八発明では、第一発明から第七発明のいずれか一を基本とし、さらに、傾き検知部を有し、動作描写情報取得部は、傾き検知部で検知される傾きに応じて動作描写情報を取得する傾き対応取得手段を有する携帯端末装置を提供する。
【００２０】
第九発明では、加速度センサーから加速度データを取得する加速度データ取得ステップと、加速度データ取得ステップで取得した加速度データを、格納されている演算式を利用して直ちに分析する分析ステップと、加速度データの分析結果に応じた動作描写情報を取得する動作描写情報取得ステップと、動作描写情報を出力する動作描写情報出力ステップとを有する携帯端末装置の動作方法を提供する。
【００２１】
第十発明では、第九発明を基本とし、さらに、分析ステップは、分析した加速度データの分析結果を、分析結果の履歴である分析結果履歴と比較する履歴比較分析サブステップを有する携帯端末装置の動作方法を提供する。
【００２２】
第十一発明では、第十発明を基本とし、さらに、コースＩＤの入力を受付けるコースＩＤ受付ステップをさらに有し、分析ステップの履歴比較分析サブステップは、分析した加速度データの分析結果を、コースＩＤ受付ステップで受付けたコースＩＤと関連付けられている分析結果履歴のみと比較する第一特定履歴比較分析サブステップを有する携帯端末装置の動作方法を提供する。
【００２３】
第十二発明では、第十発明または第十一発明を基本とし、さらに、コースＩＤを特定するための現在地の地理的情報を取得する地理的情報取得ステップをさらに有し、分析ステップの履歴比較分析サブステップは、分析した加速度データを、地理的情報取得ステップで取得した現在地の地理的情報で特定されるコースＩＤと関連付けられている分析結果履歴のみと比較する第二特定履歴比較分析サブステップを有する携帯端末装置の動作方法を提供する。
【００２４】
第十三発明では、第九発明から第十二発明のいずれか一を基本とし、さらに、出力された動作描写情報を外部機器に送信する送信ステップを有する携帯端末装置の動作方法を提供する。
【００２５】
第十四発明では、第九発明から第十三発明のいずれか一を基本とし、さらに、傾きを検知する傾き検知ステップと、傾き検知ステップで検知される傾きに応じて動作描写情報を取得する動作描写情報取得ステップの傾き対応取得サブステップを有する携帯端末装置の動作方法を提供する。
【発明の効果】
【００２６】
本発明の携帯端末装置により、利用者は、ウォーキングやジョギングなどをしている最中に、その日のウォーキングに関する情報（歩数、時間、リズム、前記の時間変化、過去実績との比較結果、前記結果に対する会話型のコメント、前記結果に対する知人などからのメッセージ、など）を、テキスト情報、イラスト情報、音声情報などにより確認することができる。
【００２７】
その結果、「もう少し継続して頑張ろう」という気持になることができ、運動量を増やすことが可能となる。
【発明を実施するための最良の形態】
【００２８】
以下本発明を実施するための最良の形態について、図面を用いて詳細に説明する。なお、本発明はこれら実施の形態になんら限定されるものではなく、その要旨を逸脱しない範囲において種々なる態様で実施しうる。
【００２９】
なお、以下の実施形態と請求項の関係は次のとおりである。実施形態１は主として請求項１、９などについて説明する。実施形態２は主として請求項２、３、１０などについて説明する。実施形態３は主として請求項４、５、１１などについて説明する。実施形態４は主として請求項６、１２などについて説明する。実施形態５は、主として請求項７、１３などについて説明する。実施形態６は、主として請求項８、１４などについて説明する。
<<実施形態１>>
<実施形態１の概要>
【００３０】
本実施形態の携帯端末装置は、加速度センサーを有する。そして、加速度センサーを利用し、利用者のウォーキングなどに応じた加速度データをリアルタイムで取得して分析し、分析結果に応じたコメントなどを出力することを特徴とする。
<実施形態１の機能的構成>
【００３１】
図１は、本実施形態の放送受信装置の機能ブロックの一例を表す図である。この図にあるように本実施形態の「携帯端末装置」（０１００）は、「加速度センサー」（０１０１）と、「加速度データ取得部」（０１０２）と、「演算式格納部」（０１０３）と、「分析部」（０１０４）と、「テーブル保持部」（０１０５）と、「動作描写情報取得部」（０１０６）と、「動作描写情報出力部」（０１０７）を有する。
【００３２】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００３３】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００３４】
以下、本実施形態の「携帯端末装置」（０１００）と、「加速度センサー」（０１０１）と、「加速度データ取得部」（０１０２）と、「演算式格納部」（０１０３）と、「分析部」（０１０４）と、「テーブル保持部」（０１０５）と、「動作描写情報取得部」（０１０６）と、「動作描写情報出力部」（０１０７）の機能的構成について説明する。
【００３５】
「携帯端末装置」（０１００）とは、利用者が容易に携帯可能な小型の装置である。本実施形態の携帯端末装置は、利用者の歩く動作や走る動作などから加速度データを測定し、有用情報を提供する機能を有する。具体的には、携帯電話や、携帯型音楽プレーヤーなどが該当する。
【００３６】
「加速度センサー」（０１０１）は、歩く動作または走る動作などにより発生する加速度を測定するよう構成されている。具体的には、ばねに取り付けた重りが変位する量を測定し、重りにかかる加速度を測定することとなる。加速度センサーは、重りの変位を測定する手段によりいくつかの種類があるが、本実施形態においてはいずれの加速度センサーを用いるかは特段制限されない。しかし、携帯電話などの携帯端末装置に備えることを考慮すると、静電容量型などの小型なタイプを用いるのが望ましい。
【００３７】
「加速度データ取得部」（０１０２）は、加速度センサーから加速度データを取得するよう構成されている。図２に、加速度データ取得部（０１０２）が取得する加速度データを模式的に示した図の一例を示す。図中、横軸が時間軸、縦軸が加速度軸である。加速度データ取得部（０１０２）は、加速度データの測定を開始する指示信号（以下、「開始信号」という）をトリガに加速度センサーから加速度データの取得を開始し、測定を終了する指示信号（以下、「終了信号」という）をトリガに加速度データの取得を終了する。加速度データ取得部（０１０２）は、この間、取得した加速度データを保存するよう構成されてもよい。なお、前記開始信号や終了信号は、利用者が携帯端末装置に備え付けられた操作ボタンなどを操作することで入力されてもよい。また、終了信号は、一定時間以上（例：３０分以上）新たな加速度データが取得されない場合に、自動的に携帯端末装置の内部より発せられてもよい。
【００３８】
「演算式格納部」（０１０３）は、加速度データを分析するための演算式を格納するよう構成されている。格納される演算式は、「測定時間を算出するための演算式」、「測定時間内の歩数を算出するための演算式」、「一歩に要する時間（以下、「一歩タイム」という。）を算出するための演算式」、「一歩における加速度の位相差（以下、「一歩強度」という）を算出するための演算式」、「一歩タイム、一歩強度などの時間変化を算出するための演算式」、「一歩タイム、一歩強度などの平均値を算出するための演算式」、「一歩タイム、一歩強度などの最大値、最小値を算出するための演算式」などが考えられる。なお、前記演算式は一例であり、加速度データを分析し、その他のデータを算出するような演算式を格納してもよい。前記演算式の具体例としては以下のようなものが考えられる。
【００３９】
「測定時間内の歩数を算出するための演算式」としては、歩数としてカウントするためのしきい値（加速度）をあらかじめ保有しておき、測定時間内にそのしきい値を所定の向き（加速度小→大）で超える回数をカウントするようなものでもよい。当該演算式の場合、図２における丸で囲んだ部分をカウントすることとなる。また、「一歩タイムを算出するための演算式」としては、歩数をカウントしてから次の歩数をカウントするまでの時間間隔を算出するようなものでもよい。当該演算式の場合、図２における丸で囲んだ部分の隣同士の時間間隔を算出するようなものでもよい。また、「一歩強度を算出するための演算式」としては、歩数をカウントしてから次の歩数をカウントするまでの間における最大加速度と最小加速度を算出し、その差を算出するようなものでもよい。当該演算式の場合、図２における三角で囲んだ部分の加速度と、四角で囲んだ部分の加速度の差を算出することとなる。また、「一歩タイム、一歩強度などの時間変化を算出するための演算式」としては、前記演算式により算出した一歩タイム、一歩強度の結果を蓄積していき、それを比較演算するようなものでもよい。また、「一歩タイム、一歩強度などの平均値を算出するための演算式」、「一歩タイム、一歩強度などの最大値、最小値」などについても同様に、前記演算式により算出した一歩タイム、一歩強度の結果を蓄積しておき、当該算出結果を利用することで算出してもよい。なお、前記は一例であり、その他の演算式で歩数、一歩タイム、一歩強度などを算出してもよい。
【００４０】
「分析部」（０１０４）は、加速度データ取得部が取得した加速度データを、演算式格納部が格納している演算式を利用して直ちに分析するよう構成されている。ここで、「直ちに」分析する目的は、ウォーキングなどを実施している利用者に、測定した加速度データに基づく有用情報をリアルタイムで提供するためである。よって、「直ちに」とは、前記目的を達成できる時間範囲内であればよく、必要以上に短い時間範囲を意味するものではない。
【００４１】
分析の具体例としては、測定時間を算出するための演算式を利用して「測定時間」を算出する。また、歩数を算出するための演算式を利用して、「測定時間内における歩数」を算出する。これらの算出データより、利用者がウォーキングなどを行った時間や歩数などの実行履歴を分析できる。
【００４２】
または、一歩タイムを算出するための演算式を利用して、「測定時間内のすべての一歩タイム」を算出する。そして、一歩タイムの時間変化を算出するための演算式を利用して、「測定時間内における一歩タイムの時間変化」を算出する。当該算出データより、「歩くリズム（ほぼ一定、ばらばら、など）」や、「歩くペースの時間変化」などを分析できる。「歩くリズム」は、比較的短い時間内における一歩タイムの時間変化により判別できる。「歩くペースの時間変化」は、比較的長い時間内における一歩タイムの時間変化により判別できる。
【００４３】
または、一歩強度を算出するための演算式を利用して、「測定時間内のすべての一歩強度」を算出する。そして、一歩強度の時間変化を算出するための演算式を利用して、「測定時間内における一歩強度の時間変化」を算出する。ここで、力強く地面を蹴り、元気に歩いている場合に一歩強度は大きくなる。よって、当該算出データより、「歩いている利用者の元気度」や、「元気度の時間変化」などを分析できる。なお、前記は一例であり、分析部（０１０４）は、演算式格納部（０１０３）が格納しているあらゆる演算式を利用して加速度データを分析する。
【００４４】
「テーブル保持部」（０１０５）は、分析結果と分析結果を描写する動作描写情報とを関連付けたテーブルを保持するよう構成されている。「分析結果を描写する動作描写情報」は、文章、アイコン、静止画、動画などからなり、それらが示す内容は、利用者が現在行っているウォーキングなどを継続して実施する動機付けになるようなものである。
【００４５】
具体的には、「測定時間（ウォーキングなどの実施時間）」の分析結果と関連付けて、「あと○分でトータル時間２０分。脂肪燃焼開始。がんばれ！」などの動作描写情報（文章）を保持してもよい。同様に、「測定時間内の歩数」の分析結果と関連付けて、「あと△歩でトータル１００歩。目標達成。ファイト！」などの動作描写情報（文章）を保持してもよい。
【００４６】
また、「測定時間内における一歩タイムの時間変化」の分析結果と関連付けて、「歩くリズムが一定です。非常に良い！」、「歩くリズムがバラバラです。落ち着いて！」などの動作描写情報（文章）を保持してもよい。また、「歩くペースが落ちてきました。気合いだ！」、「スタート時より歩くペースが落ちていません。その調子！」、「歩くペースが上がってきました。スゴイ！」などの動作描写情報（文章）を保持してもよい。
【００４７】
さらに、「測定時間内の一歩強度」や「測定時間内における一歩強度の時間変化」の分析結果と関連付けて、「元気ですね。いいぞ！」、「元気が落ちてきました。限界に挑戦！」などの動作描写情報（文章）を保持してもよい。
【００４８】
なお、前記は一例であり、その他の内容の動作描写情報（文章）を保持してもよい。
【００４９】
また、分析結果と関連付けて、応援している様子や楽しそうな様子などを示すアイコン、静止画、動画などを保持してもよい。アイコン、静止画、動画などは、前記文章と関連付けて文章の内容にあったものをそれぞれ保持してもよい。
【００５０】
「動作描写情報取得部」（０１０６）は、加速度データの分析結果に応じた動作描写情報を取得するよう構成されている。すなわち、動作描写情報取得部（０１０６）は、加速度データの分析結果を分析部（０１０４）より取得すると、その分析結果と関連付けられている動作描写情報をテーブル保持部（０１０５）より取得する。ここで、分析部（０１０４）での分析結果が複数ある場合（例：「測定時間−○分」、「歩数−△歩」、「一歩タイム−□秒」など）は、すべての分析結果に応じた動作描写情報を取得してもよい。動作描写情報取得部（０１０６）が取得した動作描写情報は、以下で説明する出力部（０１０７）により、利用者に提供されることになる。前記の通り、動作描写情報の内容は、利用者が現在行っているウォーキングなどを継続して実施する動機付けになるようなものである。よって、多くの動作描写情報が利用者に提供されても、利用者にとって不都合はないと考えられるからである。しかしながら、多くの情報の提供を望まず、特定の情報のみの提供を希望する利用者もいると考えられる。よって、あらかじめ提供してほしい動作描写情報（例：「測定時間情報」、「歩数情報」、「ペース情報」、「元気度情報」など）を登録することができるように構成し、動作描写情報取得部（０１０６）は、登録内容に応じた動作描写情報のみをテーブル保持部（０１０５）から取得するようにしてもよい。また、動作描写情報は前記の通り、文章のほかアイコン、静止画、動画、これらの組み合わせなどであってもよい。かかる場合、動作描写情報取得部（０１０６）は、分析結果に応じた動作描写情報として、文章、アイコン、静止画、動画などすべてを取得してもよい。また、利用者があらかじめ提供してほしい動作描写情報（「文章」、「アイコン」、「静止画」、「動画」など）を登録できるように構成し、動作描写情報取得部（０１０６）は、登録内容に応じた動作描写情報のみをテーブル保持部（０１０５）から取得するようにしてもよい。
【００５１】
ここで、動作描写情報取得部（０１０６）が動作描写情報を取得するタイミングとしては、以下のような例が考えられる。例えば、利用者が携帯端末装置に備えられた操作キーなどにより入力した、「動作描写情報を要求する入力信号」の受信をトリガに、分析部（０１０６）より分析結果を取得し、その分析結果に応じた動作描写情報をテーブル保持部（０１０５）より取得してもよい。または、一定時間おきに（例：「５分おき」、「１０分おき」など）分析部（０１０６）より分析結果を取得し、その分析結果に応じた動作描写情報をテーブル保持部（０１０５）より取得してもよい。さらには、分析結果があらかじめ定められたある条件をクリアした際に、その旨（条件クリア）を示す信号の受信をトリガに、分析部（０１０６）より分析結果を取得し、その分析結果に応じた動作描写情報をテーブル保持部（０１０５）より取得してもよい。「あらかじめ定められる条件」としては、例えば、「測定時間−４５分」、「歩数−５００歩」、「一歩タイムがスタート時（例：スタートから３分間の平均）の１．５倍」、「一歩強度がスタート時（例：スタートから３分間の平均）の７０％以下」、「５分間新たな歩数のカウントがされない」などでもよい。なお、前記は一例であり、その他の条件を定めてもよい。この場合、テーブル保持部（０１０５）は、前記のような条件クリアに応じた動作描写情報を保持していてもよい。
【００５２】
その他、動作描写情報取得部（０１０６）は、利用者が携帯端末装置を傾けた際（携帯端末装置を耳にあて音声を聞く動作などを行った際）に、それをトリガに分析部（０１０６）より分析結果を取得し、その分析結果に応じた動作描写情報をテーブル保持部（０１０５）より取得してもよい。このような携帯端末装置の傾きに応じた機能については、以下の実施形態６で詳細を説明する。
【００５３】
なお、動作描写情報取得部（０１０６）は、動作描写情報を外部サーバから取得してもよい。このように構成した場合、外部サーバに格納している動作描写情報を定期的に更新することで、利用者が動作描写情報に飽きてしまうという不都合を回避できる。前記のような不都合を回避するために、テーブル保持部（０１０５）が格納している動作描写情報を定期的に更新できるように構成してもよい。
【００５４】
「動作描写情報出力部」（０１０７）は、動作描写情報を出力するよう構成されている。すなわち、前記のようにして動作描写情報取得部（０１０６）が動作描写情報を取得すると、それを受け取り、受け取った動作描写情報を画像情報、音声情報などとして出力する。
【００５５】
<実施形態１のハードウェア構成>
【００５６】
図３は、上記機能的構成をハードウェアとして実現した際の構成の一例を表す図である。図に示すように、本発明の携帯端末装置は、「加速度センサー」、「加速度データ取得部」、「演算式格納部」、「分析部」、「テーブル保持部」、「動作描写情報取得部」、「動作描写情報出力部」などを構成する「ＣＰＵ」（０３０１）、「ＲＡＭ」（０３０２）、「ＶＲＡＭ」（０３０３）、「不揮発性メモリ」（０３０４）、「ユーザＩ／Ｆ」（０３０５）、「音声出力部」（０３０６）、「ディスプレイ」（０３０７）、「加速度センサー」（０３０８）、「バス」（０３０９）などを備えている。
【００５７】
なお、図３は一例であり、本発明の携帯端末装置において、その他の要素（「インターネットＩ／Ｆ」、「通信制御部」など）を備えることを禁ずるものではない。当該前提は以下のすべての実施形態において同様である。
【００５８】
以下に、図３のハードウェア図で本実施形態を実現する手段の一例を説明する。
【００５９】
まず、ＣＰＵ（０３０１）は、利用者がユーザＩ／Ｆ（０３０５）より入力した加速度データの測定を開始する指示信号を取得する。すると、ＲＡＭ（０３０２）に展開された加速度データ取得分析プログラムの加速度データ取得命令に従い、加速度センサー（０３０８）を制御して加速度データを取得し、取得した加速度データをＲＡＭ（０３０２）に格納していく。そして、分析命令に従い、演算プログラムを取り出してＲＡＭ（０３０２）に展開すると、ＲＡＭ（０３０２）に格納されている加速度データを分析し、分析結果をＲＡＭ（０３０２）に格納していく。
【００６０】
その後、ＣＰＵ（０３０１）は、利用者がユーザＩ／Ｆ（０３０５）より入力した動作描写情報を出力する指示信号を取得すると、ＲＡＭ（０３０２）に展開された動作描写情報出力プログラムの動作描写情報取得命令に従い、分析結果に応じた動作描写情報を不揮発性メモリ（０３０４）より取り出す。そして、出力命令に従い、ディスプレイ（０３０７）を制御して画像情報やテキスト情報などを出力したり、音声出力部（０３０６）を制御して音声情報を出力したりする。
<実施形態１の処理の流れ>
【００６１】
本実施形態の処理の流れの一例を図４のフローチャートに示す。
【００６２】
まず、本実施形態のアプリケーションを起動し、測定を開始する指示信号（利用者の入力信号など）を受信すると（Ｓ０４０１）、加速度センサーから加速度データを取得する（Ｓ０４０２）。そして、加速度データを分析するための演算式を取り出すと（Ｓ０４０３）、取り出した演算式を利用して加速度データを分析し（Ｓ０４０４）、分析結果を一時保存する（Ｓ０４０５）。
【００６３】
その後、動作描写情報を出力する指示信号（利用者の入力信号など）を受信するまで（Ｓ０４０６）、前記処理（Ｓ０４０２〜Ｓ０４０５）を繰り返す。そして、動作描写情報を出力するための指示信号（利用者の入力信号など）を受信すると（Ｓ０４０６）、分析結果に応じた動作描写情報を取り出し（Ｓ０４０７）、出力する（Ｓ０４０８）。
【００６４】
その後、測定を終了する指示信号（利用者の入力信号など）を受信するまで（Ｓ０４０９）、前記処理（Ｓ０４０２〜Ｓ０４０８）を繰り返す。そして、測定を終了する指示信号（利用者の入力信号など）を受信すると（Ｓ０４０９）、機能を終了する。
<実施形態１の効果>
【００６５】
本実施形態の携帯端末装置により、利用者は、現在実施しているウォーキングやランニングなどの行為中に歩数や歩行時間などに応じた動作描写情報を受け取ることができる。そして、動作描写情報を確認することで、「もう少し頑張ろう！」という気持になることができる。その結果、一回の運動量を増やすことができ、体力増加や健康維持などの効果を効率的に得ることができる。
<<実施形態２>>
<実施形態２の概要>
【００６６】
本実施形態の携帯端末装置は、実施形態１を基本とし、さらに、加速度データの分析結果の過去履歴を蓄積していく。そして、リアルタイムで取得して分析した分析結果と過去履歴の分析結果とを比較分析などし、比較分析結果に応じたコメントなどをも出力することを特徴とする。
<実施形態２の機能的構成>
【００６７】
図５は、本実施形態の放送受信装置の機能ブロックの一例を表す図である。この図にあるように本実施形態の「携帯端末装置」（０５００）は、「加速度センサー」（０５０１）と、「加速度データ取得部」（０５０２）と、「演算式格納部」（０５０３）と、「分析部」（０５０４）と、「テーブル保持部」（０５０５）と、「動作描写情報取得部」（０５０６）と、「動作描写情報出力部」（０５０７）と、「分析結果履歴保持部」（０５０８）を有する。また、「分析部」（０５０４）は、「履歴比較分析手段」を有してもよい。
【００６８】
なお、「加速度センサー」（０５０１）と、「加速度データ取得部」（０５０２）と、「演算式格納部」（０５０３）と、「テーブル保持部」（０５０５）と、「動作描写情報取得部」（０５０６）と、「動作描写情報出力部」（０５０７）については、実施形態１と同様であるので、ここでの詳細な説明は省略する。以下、「分析結果履歴保持部」（０５０８）と、「分析部」（０５０４）の、「履歴比較分析手段」の機能的構成を中心に説明する。
【００６９】
「分析結果履歴保持部」（０５０８）は、分析部での分析結果の履歴を保持するよう構成されている。図６は、分析結果履歴保持部（０５０８）が保持する分析結果履歴データを模式的に示した一例である。図に示すように、分析結果履歴保持部（０５０８）は、分析部（０５０４）での分析結果である「測定時間」、「歩数」、「最速一歩タイム」、「最遅一歩タイム」、「平均一歩タイム」、「最大一歩強度」、「最小一歩強度」、「平均一歩強度」などを、測定日と関連付けて保持してもよい。なお、前記は一例であり、測定時間内の一歩タイム、一歩強度の時間変化を示すデータなど、その他の分析結果を保持してもよい。
【００７０】
「分析部」の「履歴比較分析手段」は、分析した加速度データの分析結果を、分析結果履歴保持部が保持する分析結果履歴と比較するよう構成されている。ここで、「分析した加速度データの分析結果」とは、加速度データ取得部（０５０２）が加速度センサー（０５０１）からリアルタイムで取得した加速度データを、分析部がリアルタイムで分析した結果である（当該前提は、以下のすべての実施形態において同様である。）。一方、「分析結果履歴保持部が保持する分析結果履歴」とは、過去に、分析部（０５０４）が分析し、分析結果履歴保持部が保持している分析結果である。すなわち、履歴比較分析手段は、現在利用者が行っているウォーキングなどに関する分析結果と、過去のウォーキングなどの動作に関する分析結果を比較するよう構成されている。
【００７１】
ここで、履歴比較分析手段で行われる比較は、分析結果を利用してあらゆる比較がなされる。例えば、すべての過去履歴を利用して「過去平均測定時間」を算出し、「過去平均測定時間」と「現在の測定時間」を大小比較してもよい。または、すべての過去履歴の中から「最大測定時間」を特定し、「最大測定時間」と「現在の測定時間」を大小比較してもよい。その他、「歩数」、「平均一歩タイム」、「平均一歩強度」などについても前記と同様にして比較してもよい。その他、すべての過去履歴を利用して、測定開始から所定時間内（例：「２３分１５秒」）における「平均歩数」、「最大歩数」、「最小歩数」などを算出し、「現在の所定時間内（例：「２３分１５秒」）の歩数」と大小比較してもよい。前記は一例であり、履歴比較分析手段は、「リアルタイムで取得した加速度データの分析結果」と、「過去履歴の分析結果」を利用してあらゆる比較を行い、現在行っているウォーキングなどに関するあらゆる比較分析結果を算出する。
【００７２】
ここで、分析部の履歴比較分析手段が前記比較分析を行うタイミングとしては、動作描写情報を出力する信号を受信したのをトリガに行ってもよい。これは、実施形態１において動作描写情報取得部が動作描写情報を取得するタイミングとして説明したものと同様である。
【００７３】
なお、本実施形態の場合、「テーブル保持部」（０５０５）は、前記のような比較による分析結果と、比較分析結果を描写する動作描写情報とを関連付けたテーブルを保持してもよい。例えば、「測定時間（ウォーキングなど実施時間）」を利用した比較分析結果と関連付けて、「今までで一番長く歩いているよ。やったね！」などの動作描写情報（文章）を保持してもよい。または、「歩数」を利用した比較分析結果と関連付けて、「あと○歩で自己新記録達成。ガンバレ！」などの動作描写情報（文章）を保持してもよい。
【００７４】
また、「一歩タイムの時間変化」を利用した比較分析結果と関連付けて、「今までで一番ペースが速いぞ。いいぞ！」などの動作描写情報（文章）を保持してもよい。また、「一歩強度の時間変化」を利用した比較分析結果と関連付けて、「いつもより元気がないですね。過去の自分に負けるな！」などの動作描写情報（文章）を保持してもよい。
【００７５】
なお、前記は一例であり、その他の内容の動作描写情報（文章）を保持してもよい。
【００７６】
また、比較分析結果と関連付けて、応援している様子や楽しそうな様子などを示すアイコン、静止画、動画などを保持してもよい。アイコン、静止画、動画などは、前記文章と関連付けて文章の内容にあったものをそれぞれ保持してもよい。
<実施形態２のハードウェア構成>
【００７７】
図７は、上記機能的構成をハードウェアとして実現した際の構成の一例を表す図である。図に示すように、本発明の携帯端末装置は、「加速度センサー」、「加速度データ取得部」、「演算式格納部」、「分析部」、「テーブル保持部」、「動作描写情報取得部」、「動作描写情報出力部」、「分析結果履歴保持部」、「分析部」の「履歴比較分析手段」などを構成する「ＣＰＵ」（０７０１）、「ＲＡＭ」（０７０２）、「ＶＲＡＭ」（０７０３）、「不揮発性メモリ」（０７０４）、「ユーザＩ／Ｆ」（０７０５）、「音声出力部」（０７０６）、「ディスプレイ」（０７０７）、「加速度センサー」（０７０８）、「バス」（０７０９）などを備えている。
【００７８】
以下に、図７のハードウェア図で本実施形態を実現する手段の一例を説明する。なお、加速度センサーから加速度データを取得し、分析するまでの手段は実施形態１と同様にして実現できる。よって、ここでの説明は省略する。以下、利用者からの動作描写情報出力指示信号を受信し、過去の分析結果履歴と、現在リアルタイムで分析した分析結果を比較して、動作描写情報を出力する手段の一例を説明する。
【００７９】
ＣＰＵ（０７０１）は、利用者がユーザＩ／Ｆ（０７０５）より入力した動作描写情報を出力する指示信号を取得すると、ＲＡＭ（０７０２）に展開された分析結果比較プログラムの分析結果履歴取得命令に従い、不揮発性メモリ（０３０４）より分析結果履歴を取り出して、ＲＡＭ（０７０２）に格納する。そして、比較命令に従い、分析結果と分析結果履歴を利用して比較処理を実行し、比較結果をＲＡＭ（０７０２）に格納する。
【００８０】
その後、ＲＡＭ（０７０２）に展開された動作描写情報出力プログラムの動作描写情報取得命令に従い、分析結果（比較結果を含む）に応じた動作描写情報を不揮発性メモリ（０７０４）より取り出す。そして、出力命令に従い、ディスプレイ（０７０７）を制御して画像情報やテキスト情報などを出力したり、音声出力部（０７０６）を制御して音声情報を出力したりする。
<実施形態２の処理の流れ>
【００８１】
本実施形態の処理の流れの一例を図８のフローチャートに示す。
【００８２】
なお、加速度センサーから加速度データを取得し、分析するまでの処理の流れは実施形態１と同様にして実現できる。よって、ここでの説明は省略する。以下、利用者からの動作描写情報出力指示信号を受信し、過去の分析結果履歴と、現在リアルタイムで分析した分析結果を比較して、動作描写情報を出力する処理の流れの一例を説明する。
【００８３】
まず、動作描写情報を出力する指示信号（利用者の入力信号など）を受信すると（Ｓ０８０１）、分析結果履歴を取り出す（Ｓ０８０２）。そして、取り出した分析結果履歴を利用して、リアルタイムで分析した分析結果を比較分析する（Ｓ０８０３）。
【００８４】
その後、分析結果（比較分析結果を含む）に応じた動作描写情報を取り出し（Ｓ０８０４）、ディスプレイなどに出力する（Ｓ０８０５）。
<実施形態２の効果>
【００８５】
本実施形態の携帯端末装置により、利用者は、現在実施しているウォーキングやランニングなどの行為中に、「過去の自分のウォーキングなどのデータ」と、「現在の自分のウォーキングなどのデータ」を比較分析した結果、及び、それに応じたコメントなどを受け取ることができる。その結果、利用者は「もう少し頑張ろう！」という気持になることができ、一回の運動量を増やすことができる。
<<実施形態３>>
<実施形態３の概要>
【００８６】
本実施形態の携帯端末装置は、実施形態１、２を基本とし、さらに、利用者のウォーキングやランニングに応じたコースのＩＤ（「通勤コース」、「朝ウォーキングコース」、「お散歩コース」など）を一以上保有し、分析結果履歴を前記コースＩＤと関連付けて蓄積していく。そして、発明機能を実施してウォーキングなどを開始する際に、あらかじめ利用者にいずれかのコースを選択させる。そして、リアルタイムで取得して分析した分析結果と過去履歴の分析結果履歴とを比較する際には、あらかじめ利用者が選択したコースのＩＤと関連付けられている分析結果履歴のみを利用して比較処理し、比較分析結果に応じたコメントなどを出力することを特徴とする。
<実施形態３の機能的構成>
【００８７】
図９は、本実施形態の放送受信装置の機能ブロックの一例を表す図である。この図にあるように本実施形態の「携帯端末装置」（０９００）は、「加速度センサー」（０９０１）と、「加速度データ取得部」（０９０２）と、「演算式格納部」（０９０３）と、「分析部」（０９０４）と、「テーブル保持部」（０９０５）と、「動作描写情報取得部」（０９０６）と、「動作描写情報出力部」（０９０７）と、「分析結果履歴保持部」（０９０８）と、「コースＩＤ保持部」（０９０９）を有し、「分析結果履歴保持部」（０９０８）は、「コース別履歴保持手段」を有する。また、「コースＩＤ受付部」（０９１０）を有してもよい。さらに、「分析部」（０９０４）の「履歴比較分析手段」は、「第一特定履歴比較分析器」を有してもよい。
【００８８】
なお、「加速度センサー」（０９０１）と、「加速度データ取得部」（０９０２）と、「演算式格納部」（０９０３）と、「テーブル保持部」（０９０５）と、「動作描写情報取得部」（０９０６）と、「動作描写情報出力部」（０９０７）については、前記実施形態での説明と同様であるので、ここでの詳細な説明は省略する。以下、「コースＩＤ保持部」（０９０９）と、「分析結果履歴保持部」（０９０８）の「コース別履歴保持手段」と、「コースＩＤ受付部」（０９１０）と、「分析部」（０９０４）の「履歴比較分析手段」の「第一特定履歴比較分析器」の機能的構成を中心に説明する。
【００８９】
「コースＩＤ保持部」（０９０９）は、コースＩＤを一以上保持するよう構成されている。ここで、「コース」とは、利用者がウォーキングやランニングなどを実施するコースのことである。「コースＩＤ」とは、利用者のウォーキングなどのコースを識別するＩＤであり、例えば、「通勤コース」、「通学コース」、「朝ウォーキングコース」、「夜ランニングコース」、「お散歩コース」などが考えられる。なお、前記は一例であり、コースＩＤは、利用者が任意に文字、数字、記号、絵文字、などの組み合わせにより決定できてもよい。
【００９０】
「分析結果履歴保持部」（０９０８）の「コース別履歴保持手段」は、コースＩＤと関連付けて分析結果履歴を保持するよう構成されている。参考までに、コース別履歴保持手段が保持する分析結果履歴の模式図の一例を図１１に示す。
【００９１】
「コースＩＤ受付部」（０９１０）は、コースＩＤの入力を受付けるよう構成されている。入力を受付ける手段としては、例えば、コースＩＤ保持部（０９０９）から保持しているコースＩＤを取得し、携帯端末装置のディスプレイにすべてのコースＩＤを表示する。そして、携帯端末装置に備え付けられた操作キーなどにより、一つのコースを選択入力させることで受付けてもよい。または、携帯端末装置に備え付けられたマイクなどを利用して、音声情報でコースの選択入力を受け付けてもよい。
【００９２】
なお、「コースＩＤ受付部」（０９１０）がコースＩＤの入力を受付けるタイミングとしては、加速度データの測定を開始するときが望ましい。「コースＩＤ受付部」（０９１０）がコースＩＤの入力を受付けると、以下で説明する「分析部」（０９０４）の「履歴比較分析手段」の「第一特定履歴比較分析器」は、入力されたコースＩＤと関連付けられている分析結果履歴のみを利用して、リアルタイムで取得した加速度データの分析結果を比較分析する。よって、前記のように測定開始時にコースＩＤの入力を受付けるように構成することで、測定開始時よりそのウォーキングの状況（通勤時、散歩時など）に適合した分析を行うことができ、状況に適合した有用情報を利用者に提供することが可能となる。
【００９３】
しかしながら、コースＩＤの入力を受付けるタイミングは測定開始時に制限されるものでない。例えば、「コースＩＤ受付部」（０９１０）は、ウォーキングなどの途中でコースの変更ができるように、測定中にコースＩＤの入力を受付けるよう構成されてもよい。
【００９４】
「分析部」（０９０４）の「履歴比較分析手段」の「第一特定履歴比較分析器」は、分析した加速度データの分析結果を、コースＩＤ受付部（０９１０）で受付けたコースＩＤと関連付けられている分析結果履歴のみと比較するよう構成されている。ウォーキングなどは、実施する状況に応じてその内容（速さなど）が異なると考えられる。例えば、通勤中は、比較的足早に歩く場合が多いと考えられる。また、散歩中は、比較的ゆっくりと歩く場合が多いと考えられる。よって、分析した加速度データの分析結果を、過去のすべての分析結果履歴と比較した比較分析結果では、利用者が本当に欲する情報を提供できていない可能性がある。そこで、第一特定履歴比較分析器は、リアルタイムで取得して分析した加速度データの分析結果を分析結果履歴と比較分析する際、コースＩＤ受付部（０９１０）で受付けたコースＩＤと関連付けられている分析結果履歴のみを利用して比較分析する。前記比較分析結果は、利用者のウォーキングの状況（通勤時、散歩時、朝ウォーキング時など）に応じた適切な比較分析結果である。よって、かかる比較分析結果に応じて出力される動作描写情報は、利用者にウォーキングなどを継続させる十分な動機付けになる。なお、比較分析の内容については、実施形態２で説明した「履歴比較分析手段」と同様であるので、ここでの詳細な説明は省略する。
<実施形態３の処理の流れ>
【００９５】
本実施形態の処理の流れの一例を図１０のフローチャートに示す。
【００９６】
まず、本実施形態のアプリケーションを起動すると（Ｓ１００１）、利用者からコースＩＤを受付ける（Ｓ１００２）。その後、加速度データの測定を開始する指示信号（利用者の入力信号など）を受信すると（Ｓ１００３）、加速度センサーより加速度データを取得する（Ｓ１００４）。そして、加速度データを分析するための演算式を取り出すと（Ｓ１００５）、取り出した演算式を利用して加速度データを分析し（Ｓ１００６）、分析結果を一時保存する（Ｓ１００７）。
【００９７】
その後、動作描写情報を出力する指示信号（利用者の入力信号など）を受信するまで（Ｓ１００８）、前記処理（Ｓ１００４〜Ｓ１００７）を繰り返す。そして、動作描写情報を出力する指示信号（利用者の入力信号など）を受信すると（Ｓ１００８）、受付けたコースＩＤと関連付けられている分析結果履歴を取り出す（Ｓ１００９）。次に、取り出した分析結果履歴のみを利用して、リアルタイムで分析した分析結果を比較分析する（Ｓ１０１０）。そして、分析結果（比較分析結果を含む）に応じた動作描写情報を取り出し（Ｓ１０１１）、ディスプレイなどに出力する（Ｓ１０１２）。
【００９８】
その後、測定を終了する指示信号（利用者の入力信号など）を受信するまで（Ｓ１０１３）、前記処理（Ｓ１００４〜Ｓ１０１２）を繰り返す。そして、測定を終了する指示信号（利用者の入力信号など）を受信すると（Ｓ１０１３）、一時保存しておいた分析結果を不揮発性メモリに保存し、測定を終了する（Ｓ１０１４）。
<実施形態３の効果>
【００９９】
本実施形態の携帯端末装置により、利用者は、現在実施しているウォーキングやランニングなどの行為中に、「現在実施しているウォーキングなどに関するデータ（歩数など）」と、現在の状況（通勤時、散歩時、など）と同様の状況で過去に実施した「過去のウォーキングなどに関するデータ」とを比較分析した結果、及び、それに応じたコメントなどを受け取ることができる。その結果、利用者は現在の自分のウォーキングなどを適切に分析した結果などを取得することができ、自己の気持ちを効果的に高揚させることができる。
<<実施形態４>>
<実施形態４の概要>
【０１００】
本実施形態の携帯端末装置は、実施形態１、２、３を基本とし、さらに、利用者のウォーキングやランニングなどに応じたコースのＩＤ（「通勤コース」、「朝ウォーキングコース」、「お散歩コース」など）を地理的情報（住所など）と関連付けて一以上保有する。そして、ＧＰＳ機能を利用して利用者が現在行っているウォーキングなどのコースを自動で特定すると、特定したコースのＩＤと関連付けられている分析結果履歴のみを利用して、リアルタイムで分析した結果を比較することを特徴とする。
<実施形態４の機能的構成>
【０１０１】
図１２は、本実施形態の放送受信装置の機能ブロックの一例を表す図である。この図にあるように本実施形態の「携帯端末装置」（１２００）は、「加速度センサー」（１２０１）と、「加速度データ取得部」（１２０２）と、「演算式格納部」（１２０３）と、「分析部」（１２０４）と、「テーブル保持部」（１２０５）と、「動作描写情報取得部」（１２０６）と、「動作描写情報出力部」（１２０７）と、「分析結果履歴保持部」（１２０８）と、「コースＩＤ保持部」（１２０９）を有し、「分析結果履歴保持部」（１２０８）は、「コース別履歴保持手段」を有する。また、「地理的情報取得部」（１２１２）を有してもよい。さらに、「コースＩＤ保持部」（１２０９）は、「地理付コースＩＤ保持手段」を、「分析部」（１２０４）の「履歴比較分析手段」は、「第二特定履歴比較分析器」を有してもよい。
【０１０２】
なお、「加速度センサー」（１２０１）と、「加速度データ取得部」（１２０２）と、「演算式格納部」（１２０３）と、「テーブル保持部」（１２０５）と、「動作描写情報取得部」（１２０６）と、「動作描写情報出力部」（１２０７）と、「分析結果履歴保持部」（１２０８）については、前記実施形態での説明と同様であるので、ここでの詳細な説明は省略する。以下、「地理的情報取得部」（１２１２）と、「コースＩＤ保持部」（１２０９）の「地理付コースＩＤ保持手段」と、「分析部」（１２０４）の「履歴比較分析手段」の「第二特定履歴比較分析器」の機能的構成を中心に説明する。
【０１０３】
「コースＩＤ保持部」（１２０９）の「地理付コースＩＤ保持手段」は、コースＩＤを地理的情報と関連付けて保持するよう構成されている。コースＩＤと関連付けて保持される「地理的情報」とは、住所や、緯度経度などにより、コースＩＤを特定するための情報である。「地理的情報」は、利用者が移動した履歴を特定することで、コースＩＤを特定するような情報であってもよい。または、スタート地点とゴール地点のみを特定することで、コースＩＤを特定するような情報であってもよい。地理付コースＩＤ保持手段は、前記地理的情報をコースＩＤ（例：「通勤コース」、「お散歩コース」など）と関連付けて保持する。なお、前記コースＩＤは、利用者が任意に定めることができてもよい。
【０１０４】
「地理的情報取得部」（１２１２）は、コースＩＤを特定するための現在地の地理的情報を取得するよう構成されている。具体的には、ＧＰＳ機能を利用して、現在地の地理的情報を取得する。そして、取得した現在地の地理的情報を、コースＩＤ保持部（１２０９）の地理付コースＩＤ保持手段が保持している、コースＩＤと関連付けられた「地理的情報」と比較することで、一つのコースＩＤを特定する。
【０１０５】
なお、地理的情報取得部（１２１２）が地理的情報を取得するタイミングとしては、加速度データの測定を開始した際が好ましい。地理的情報取得部（１２１２）が取得した現在地の地理的情報は、コースＩＤを特定するために利用される。よって、前記タイミングで現在地の地理的情報を取得することで、ウォーキングなどの開始時からコースＩＤを特定し、利用者に有用情報を提供することができる。なお、コースＩＤ保持部（１２０９）の地理付コースＩＤ保持手段が同じスタート地点のコースＩＤを複数保持している場合には、測定開始時（スタート時）に現在地の地理的情報を取得しても、一つのコースＩＤを特定することができない。かかる場合、地理的情報取得部（１２１２）は、測定開始時だけでなく、一定時間おき、または、常時、現在地の地理的情報を取得するよう構成されてもよい。このように構成することで、コースＩＤ保持部（１２０９）の地理付コースＩＤ保持手段が同じスタート地点のコースＩＤを複数保持していても、最終的に一つのコースＩＤを特定することができる。
【０１０６】
なお、コースＩＤと関連付けて保持している地理的情報がスタート地点とゴール地点のみを特定する情報であった場合で、かつ、同じスタート地点のコースＩＤが複数保持されていた場合、地理的情報取得部（１２１２）は、取得した現在地の地理的情報を利用してただ一つのコースＩＤを特定することができない。かかる場合は、現在地の地理的情報を利用して特定した複数のコースＩＤの中から、一つのコースＩＤを利用者に選択させてもよい。
【０１０７】
「分析部」（１２０４）の「履歴比較分析手段」の「第二特定履歴比較分析器」は、分析した加速度データの分析結果を、地理的情報取得部で取得した現在地の地理的情報で特定されるコースＩＤと関連付けられている分析結果履歴のみと比較するよう構成されている。すなわち、第二特定履歴比較分析器は、地理的情報取得部（１２１２）より、特定したコースＩＤを取得すると、そのコースＩＤと関連付けられている分析結果履歴のみを利用して、分析した加速度データの分析結果を比較分析する。ここで、前記のように、コースＩＤ保持部（１２０９）の地理付コースＩＤ保持手段が同じスタート地点のコースＩＤを複数保持している場合には、ただ一つのコースＩＤを特定できず、複数の候補コースＩＤを有する時間帯（スタート時など）がある。かかる場合、第二特定履歴比較分析器は、複数の候補コースＩＤの中から、分析結果履歴を一番多く蓄積しているコースＩＤを特定し、そのコースＩＤと関連付けられている分析結果履歴のみを利用して、分析した加速度データの分析結果を比較分析してもよい。なお、比較分析の内容については、実施形態２で説明した「履歴比較分析手段」と同様であるので、ここでの詳細な説明は省略する。
<実施形態４のハードウェア構成>
【０１０８】
図１３は、上記機能的構成をハードウェアとして実現した際の構成の一例を表す図である。図に示すように、本発明の携帯端末装置は、「加速度センサー」、「加速度データ取得部」、「演算式格納部」、「分析部」、「テーブル保持部」、「動作描写情報取得部」、「動作描写情報出力部」、「分析結果履歴保持部」、「分析部」の「履歴比較分析手段」、「コースＩＤ保持部」、「分析結果履歴保持部」の「コース別履歴保持手段」、「地理的情報取得部」、「コースＩＤ保持部」の、「地理付コースＩＤ保持手段」、「分析部」の「履歴比較分析手段」の「第二特定履歴比較分析器」などを構成する「ＣＰＵ」（１３０１）、「ＲＡＭ」（１３０２）、「ＶＲＡＭ」（１３０３）、「不揮発性メモリ」（１３０４）、「ユーザＩ／Ｆ」（１３０５）、「音声出力部」（１３０６）、「ディスプレイ」（１３０７）、「加速度センサー」（１３０８）、「バス」（１３０９）、「ＧＰＳ通信部」（１３１０）などを備えている。
【０１０９】
以下に、現在地の地理的情報から一つのコースＩＤを特定するまでの処理を実現する手段の一例を、図１３のハードウェア図を用いて説明する。
【０１１０】
まず、ＣＰＵ（１３０１）は、利用者がユーザＩ／Ｆ（１３０５）より入力した加速度データの測定を開始する指示信号を取得する。すると、ＲＡＭ（１３０２）に展開されたコースＩＤ特定プログラムの地理的情報取得命令に従い、ＧＰＳ通信部（１３１０）を制御し、現在地の地理的情報を取得してＲＡＭ（１３０２）に格納する。そして、地理的情報比較命令に従い、不揮発性メモリ（１３０４）より地理付コースＩＤを取り出してＲＡＭ（１３０２）に格納すると、地理付コースＩＤの地理的情報と、現在地の地理的情報を比較処理する。そして、地理的情報の一致するコースＩＤを特定すると、ＲＡＭ（１３０２）に格納する。以降、当該コースＩＤと関連付けて保持されている分析結果履歴のみを利用して、比較などし、動作描写情報を出力する。なお、当該処理は、実施形態１や実施形態２で説明したものと同様にして実現できる。よって、ここでの説明は省略する。
【０１１１】
一方、地理的情報の一致するコースＩＤが複数ある場合には、ＣＰＵ（１３０１）は、コースＩＤ特定プログラムの仮決定命令に従い、不揮発性メモリ（１３０３）より分析結果履歴を取り出すと、前記複数のコースＩＤのうち最も分析結果履歴が多いコースＩＤを特定し、ＲＡＭ（１３０２）に格納する。そして、一定時間、そのコースＩＤと関連付けて保持されている分析結果履歴のみを利用して、比較などし、動作描写情報を出力する。
【０１１２】
その後、一定時間が経過すると、ＣＰＵ（１３０１）は、再び、ＲＡＭ（１３０２）に展開されたコースＩＤ特定プログラムの地理的情報取得命令に従い、ＧＰＳ通信部（１３１０）を制御し、現在地の地理的情報を取得してＲＡＭ（１３０２）に格納する。そして、前記候補として残っている複数のコースＩＤの中から、現在地の地理的情報で特定されるコースＩＤを特定する。
【０１１３】
以降、現在地の地理的情報でただ一つのコースＩＤが特定されるまで、前記処理を繰り返す。
<実施形態４の処理の流れ>
【０１１４】
本実施形態の処理の流れの一例を図１４のフローチャートに示す。
【０１１５】
まず、本実施形態のアプリケーションを起動し、測定を開始する指示信号（利用者の入力信号など）を受信すると（Ｓ１４０１）、ＧＰＳ機能を起動するなどして、現在地の地理的情報を取得する（Ｓ１４０２）。そして、現在地の地理的情報と、地理付コースＩＤとして登録されている地理的情報を比較し、一致するものを特定する（Ｓ１４０３）。比較の結果、ただ一つの地理付コースＩＤを特定できた場合（Ｓ１４０４）、特定した地理付コースＩＤを保存する。一方、比較の結果、ただ一つの地理付コースＩＤが特定されず、複数の地理付コースＩＤが特定された場合（Ｓ１４０４）、複数の地理付コースＩＤの中から、分析結果履歴が最も多く記録されている地理付コースＩＤを特定し（Ｓ１４０５）、特定した地理付コースＩＤを保存する。
【０１１６】
次に、加速度センサーより加速度データを取得する（Ｓ１４０６）。そして、加速度データを分析するための演算式を取り出すと（Ｓ１４０７）、取り出した演算式を利用して加速度データを分析し（Ｓ１４０８）、分析結果を一時保存する（Ｓ１４０９）。
【０１１７】
その後、動作描写情報を出力する指示信号（利用者の入力信号など）を受信するまで（Ｓ１４１０）、前記処理（Ｓ１４０６〜Ｓ１４０９）を繰り返す。そして、動作描写情報を出力するための指示信号（利用者の入力信号など）を受信すると（Ｓ１４１０）、ただ一つに特定した地理付コースＩＤと関連付けられている分析結果履歴を取り出す（Ｓ１４１１）。そして、取り出した分析結果履歴のみを利用して、リアルタイムで分析した分析結果を比較分析する（Ｓ１４１２）。その後、分析結果（比較分析結果を含む）に応じた動作描写情報を取り出し（Ｓ１４１３）、ディスプレイなどに出力する（Ｓ１４１４）。
【０１１８】
以降、測定開始時点において地理付コースＩＤを特定した際に、取得した地理的情報との比較により、ただ一つの地理付コースＩＤが特定された場合には（Ｓ１４１５）、測定を終了する指示信号（利用者の入力信号など）を受信するまで（Ｓ１４１７）、前記処理（Ｓ１４０６〜Ｓ１４１５）を繰り返す。
【０１１９】
一方、測定開始時点において地理付コースＩＤを特定した際に、取得した地理的情報との比較により、ただ一つの地理付コースＩＤが特定されなかった場合には（Ｓ１４１５）、一定時間経過後（Ｓ１４１６）、再び、ＧＰＳ機能を起動するなどして、現在地の地理的情報を取得し（Ｓ１４０２）、同様の処理を繰り返す（Ｓ１４０３〜Ｓ１４１４）。
【０１２０】
その後、測定を終了する指示信号（利用者の入力信号など）を受信すると（Ｓ１４１７）、一時保存しておいた分析結果を不揮発性メモリに保存し測定を終了する（Ｓ１４１８）。
<実施形態４の効果>
【０１２１】
本実施形態の携帯端末装置により、利用者は、コースを選択入力するなどの面倒な操作をすることなく、現在実施しているウォーキングやランニングなどの行為中に、「現在実施しているウォーキングなどに関するデータ（歩数など）」と、現在の状況（通勤時、散歩時、など）と同様の状況で過去に実施した「過去のウォーキングなどに関するデータ」とを比較分析した結果、及び、それに応じたコメントなどを受け取ることができる。その結果、利用者は現在の自分のウォーキングなどを適切に分析した結果などを取得することができ、自己の気持ちを効果的に高揚させることができる。
<<実施形態５>>
<実施形態５の概要>
【０１２２】
本実施形態の携帯端末装置は、実施形態１から４を基本とし、さらに、測定した加速度データの分析結果に応じて出力されたコメントなど（動作描写情報）を外部機器に送信することを特徴とする。また、前記外部機器への送信は、利用者がウォーキングなどを行っている最中にリアルタイムでなされることを特徴とする。
<実施形態５の機能的構成>
【０１２３】
図１５は、本実施形態の放送受信装置の機能ブロックの一例を表す図である。この図にあるように本実施形態の「携帯端末装置」（１５００）は、「加速度センサー」（１５０１）と、「加速度データ取得部」（１５０２）と、「演算式格納部」（１５０３）と、「分析部」（１５０４）と、「テーブル保持部」（１５０５）と、「動作描写情報取得部」（１５０６）と、「動作描写情報出力部」（１５０７）と、「送信部」（１５１３）を有する。
【０１２４】
なお、「加速度センサー」（１５０１）と、「加速度データ取得部」（１５０２）と、「演算式格納部」（１５０３）と、「分析部」（１５０４）と、「テーブル保持部」（１５０５）と、「動作描写情報取得部」（１５０６）と、「動作描写情報出力部」（１５０７）については、前記実施形態での説明と同様であるので、ここでの詳細な説明は省略する。以下、「送信部」（１５１３）の機能的構成を中心に説明する。
【０１２５】
「送信部」（１５１３）は、動作描写情報出力部（１５０７）から出力された動作描写情報を外部機器に送信するよう構成されている。「送信部」（１５０７）の送信は、利用者がウォーキングなどを実行中にリアルタイムで行うことができる。その送信手段は特段制限されないが、ウォーキングなどを実行中に送信することを考慮すると、無線通信が望ましい。例えば、赤外線通信、メール通信、Ｂｌｕｅｔｏｏｔｈ（「ブルートゥース  エスアイジー、インコーポレイテッド」の登録商標）通信などが考えられる。また、その他の送信手段として、人体通信を利用してもよい。「人体通信」とは、人間の体を通信媒体として利用し、微弱な電気信号によりデータのやりとりを行う通信手段である。「送信部」（１５１３）は、前記のような通信手段を一以上有し、外部機器に動作描写情報を送信するよう構成されている。「外部機器」とは、携帯電話、パソコンなど、前記通信機能を有するあらゆる機器が該当する。なお、外部機器は、本発明の機能（加速度データの測定など）を有することを必須の条件とするものではない。
【０１２６】
ここで、送信部（１５１３）が、動作描写情報を外部機器に送信する具体的例としては以下のようなものが考えられる。
【０１２７】
例えば、利用者と一緒にウォーキングなどを行っている人間（以下、「同行者」という）が保持している機器（外部機器）に対して、動作描写情報を自動的に送信してもよい。かかる場合、利用者の動作描写情報を取得した同行者は、利用者の「元気度の変化」などを容易に把握することができる。また、同行者が利用者のウォーキングに途中から加わった場合でも、容易に、利用者のウォーキング実行時間や、歩数、元気度の変化、ペースの変化を把握することができる。そして、必要に応じて激励などの適切なメッセージをおくることが可能となる。その結果、利用者は同行者から自己の状態にあった適切なメッセージをもらい、「頑張ろう」という強い気持ちになることができる。なお、当該通信は、Ｂｌｕｅｔｏｏｔｈ通信により、あらかじめ登録していた同行者が近づいてきたら自動接続し、それをトリガに動作描写情報を送信してもよい。または、人体通信により、あらかじめ登録していた同行者の人体と接触したのをトリガに動作描写情報を送信してもよい。人体通信は、周囲に人間が密集しているような状態（例：多数の人が参加しているウォーキング大会など）において動作描写情報を送信するのに適切な手段である。さらには、メール通信などにより、動作描写情報出力部（１５０７）が動作描写情報を出力するのをトリガに、あらかじめ登録していた同行者に送信してもよい。かかる場合、利用者に出力されたすべての動作描写情報があらかじめ登録していた同行者に送信されることとなる。
【０１２８】
または、利用者があらかじめ送信相手として登録している同行者以外の人間が保持している機器（外部機器）に対して、動作描写情報を自動的に送信してもよい。かかる場合、利用者が一人でウォーキングなどを行っていたとしても、離れた場所にいる知人などに動作描写情報をリアルタイムで送信することができる。そして、動作描写情報を受信した知人などから、現在の状態にあった適切な応援メッセージなどをＥメールなどにより取得することが可能となる。その結果、利用者は、適切な激励メッセージなどにより頑張ろうという強い気持ちになることができる。なお、かかる場合は、動作描写情報を取得する人間が、利用者のウォーキングなどの状態を監視することができる効果もある。その結果、例えば、ウォーキング中の利用者になんらかの事故が生じても、動作描写情報を取得した知人がすぐに事態を察知し、迅速な対応をとることができる。当該場合は、送信部（１５１３）は、「本実施形態の測定機能を継続中に、新たな歩数の計測が一定時間（例：３分間）以上なされない場合に、その旨を示す動作描写情報をあらかじめ登録されている人間に自動送信する」などのように、一定条件をクリアすると自動送信するように構成してもよい。
【０１２９】
さらには、利用者があらかじめ送信相手として登録している同行者や同行者以外の人間が保持している機器（外部機器）が、本発明の機能（加速度データの測定など）を有している場合には、前記のようにして動作描写情報を送信すると、動作描写情報を受信した外部機器は、それをトリガに、送信相手の動作描写情報を送信するよう構成されてもよい。その結果、利用者は、ウォーキングを行っている最中に、あらかじめ送信相手として登録している知人などの歩数をも知ることができ、競争心が煽られ、もう少し頑張ろうという強い気持ちになることができる。
【０１３０】
<実施形態５のハードウェア構成>
【０１３１】
図１６は、上記機能的構成をハードウェアとして実現した際の構成の一例を表す図である。図に示すように、本発明の携帯端末装置は、「加速度センサー」、「加速度データ取得部」、「演算式格納部」、「分析部」、「テーブル保持部」、「動作描写情報取得部」、「動作描写情報出力部」、「送信部」などを構成する「ＣＰＵ」（１６０１）、「ＲＡＭ」（１６０２）、「ＶＲＡＭ」（１６０３）、「不揮発性メモリ」（１６０４）、「ユーザＩ／Ｆ」（１６０５）、「音声出力部」（１６０６）、「ディスプレイ」（１６０７）、「加速度センサー」（１６０８）、「バス」（１６０９）、「メール通信部」（１６１１）、「人体通信部」（１６１２）、「Ｂｌｕｅｔｏｏｔｈ通信部」（１６１３）、「赤外線通信部」（１６１４）などを備えている。なお、「メール通信部」（１６１１）、「人体通信部」（１６１２）、「Ｂｌｕｅｔｏｏｔｈ通信部」（１６１３）、「赤外線通信部」（１６１４）については、いずれか一以上を有していればよく、すべてを有することを必須とはしない。
【０１３２】
以下、図１６のハードウェア図で本実施形態を実現する手段の一例を説明する。なお、加速度センサー（１６０８）から加速度データを取得して分析し、分析結果をＲＡＭ（１６０２）に格納する手段については、前記実施形態と同様であるので、ここでの詳細な説明は省略する。以下、ＲＡＭ（１６０２）に格納した分析結果に応じて動作描写情報を取得し、外部機器に送信する手段の一例を説明する。
【０１３３】
ＣＰＵ（１６０１）は、あらかじめＢｌｕｅｔｏｏｔｈ通信ができるように登録しておいた外部機器より、Ｂｌｕｅｔｏｏｔｈ通信部（１６１２）を介して接続要求信号を受信すると、Ｂｌｕｅｔｏｏｔｈ通信プログラムに従い、Ｂｌｕｅｔｏｏｔｈ通信部（１６１２）を制御して、当該外部機器と自動接続する。
【０１３４】
そして、ＲＡＭ（１６０２）に展開された動作描写情報出力プログラムの動作描写情報取得命令に従い、分析結果に応じた動作描写情報を不揮発性メモリ（１６０４）より取り出して、ＲＡＭ（１６０２）に格納する。その後、ＲＡＭ（１６０２）に展開された動作描写情報送信プログラムの送信命令に従い、ＲＡＭ（１６０２）に格納された動作描写情報を取り出すと、Ｂｌｕｅｔｏｏｔｈ通信部（１６１２）を制御して、外部機器に送信する。
【０１３５】
なお、前記は動作描写情報をＢｌｕｅｔｏｏｔｈ通信により外部機器に送信する手段について説明したが、その他、メール通信、人体通信、赤外線通信についても同様にして実施することができる。
<実施形態５の処理の流れ>
【０１３６】
本実施形態の処理の流れの一例を図１７のフローチャートに示す。
【０１３７】
なお、加速度センサーから加速度データを取得して、分析部で分析するまでの処理の流れは、前記実施形態と同様であるので、ここでの詳細な説明は省略する。以下、分析部での分析結果に応じて動作描写情報を取得し、送信部が外部機器に送信するまでの処理の流れの一例を説明する。
【０１３８】
まず、動作描写情報を外部機器に送信する指示信号を取得すると（Ｓ１７０１）、分析結果に応じた動作描写情報を取得する（Ｓ１７０２）。そして、取得した動作描写情報を、前記指示に従って、外部機器に送信する（Ｓ１７０３）。
<実施形態５の効果>
【０１３９】
本実施形態の携帯端末装置により、利用者は現在実施しているウォーキングやランニングなどの行為中に、当該ウォーキングに関する歩数や歩行時間などに応じた動作描写情報を、自動的に外部機器に送信することができる。その結果、動作描写情報を取得した知人などから、現在の状態に合った適切な応援メッセージなどを取得することができ、「もう少し頑張ろう」という気持ちになることができる。そして、一回の運動量を増やすことができ、体力増加や健康維持などの効果を効率的に得ることができる。
<<実施形態６>>
<実施形態６の概要>
【０１４０】
本実施形態の携帯端末装置は、実施形態１から４を基本とし、さらに、傾きを検出する機能を有する。そして、所定角度以上の傾きを検出すると、それをトリガに、測定した加速度データの分析結果に応じたコメントなど（動作描写情報）を出力することを特徴とする。
<実施形態６の機能的構成>
【０１４１】
図１８は、本実施形態の放送受信装置の機能ブロックの一例を表す図である。この図にあるように本実施形態の「携帯端末装置」（１８００）は、「加速度センサー」（１８０１）と、「加速度データ取得部」（１８０２）と、「演算式格納部」（１８０３）と、「分析部」（１８０４）と、「テーブル保持部」（１８０５）と、「動作描写情報取得部」（１８０６）と、「動作描写情報出力部」（１８０７）と、「傾き検知部」（１８１４）を有し、「動作描写情報取得部」（１８０６）は、「傾き対応取得手段」を有する。
【０１４２】
なお、「加速度センサー」（１８０１）と、「加速度データ取得部」（１８０２）と、「演算式格納部」（１８０３）と、「分析部」（１８０４）と、「テーブル保持部」（１８０５）と、「動作描写情報出力部」（１８０７）については、前記実施形態での説明と同様であるので、ここでの詳細な説明は省略する。以下、「傾き検知部」（１８１４）と、「動作描写情報取得部」（１８０６）の「傾き対応取得手段」の機能的構成を中心に説明する。
【０１４３】
「傾き検知部」（１８１４）は、携帯端末装置の傾きを検知するよう構成されている。傾きを検知する具体的手段としては、加速度センサー（１８０１）を利用して、ばねに取り付けた重りが重力により変位する量を測定することで実現できる。傾き検知部（１８１４）は、ある一定角度以上の傾きを検知すると、当該旨を示す信号を、以下で説明する「動作描写情報取得部」（１８０６）の「傾き対応取得手段」に送信するように構成されてもよい。例えば、図１９（Ａ）のように携帯端末装置を垂直にした状態を基本姿勢として、そこから４５度以上の傾きを検知すると、当該旨を示す信号を「動作描写情報取得部」（１８０６）の「傾き対応取得手段」に送信してもよい。図１９（Ｂ）は、図１９（Ａ）の携帯端末装置を（あ）の矢印で示す向きから見た概念図である。そして、図１９（Ｃ）は、図１９（Ｂ）の状態から４５度傾けた状態を示している。「傾き検知部」（１８１４）は、図１９（Ｃ）の状態になると、４５度以上の傾きを検知した旨を示す信号を「動作描写情報取得部」（１８０６）の「傾き対応取得手段」に送信することとなる。なお、前記角度（４５度）は一例であり、その他の角度を検知するようにしてもよい。
【０１４４】
「動作描写情報取得部」（１８０６）の「傾き対応取得手段」は、傾き検知部で検知される傾きに応じて動作描写情報を取得するよう構成されている。すなわち、「傾き対応取得手段」は、傾き検知部（１８１４）より傾きを検知した旨の信号を受信すると、それをトリガに、分析部（１８０６）より分析結果を取得し、その分析結果に応じた動作描写情報をテーブル保持部（１８０５）より取得する。ここで、本実施形態の携帯端末装置は、利用者の要求に応じて動作描写情報を出力する。利用者は、本実施形態の携帯端末装置により、携帯端末装置を傾けることで、容易に、動作描写情報の要求を行うことができる。
【０１４５】
なお、「動作描写情報取得部」（１８０６）の「傾き対応取得手段」が取得した動作描写情報は、動作描写情報出力部（１８０７）により出力されることとなるが、「傾き対応取得手段」が取得した動作描写情報は、音声情報、または、音声情報と他の情報の組み合わせにより出力されてもよい。携帯端末装置を傾ける行為は、携帯端末装置を耳にあてて音声情報を聞くためのものと考えられるからである。
【０１４６】
また、携帯端末装置はイヤフォンを挿入するためのインターフェイスを有しておき、動作描写情報出力部（１８０７）は、イヤフォンが前記インターフェイスに挿入されているのを検知している間は、動作描写情報を、音声情報、または、音声情報と他の情報の組み合わせにより出力するよう構成されてもよい。
<実施形態６の処理の流れ>
【０１４７】
本実施形態の処理の流れの一例を図２０のフローチャートに示す。
【０１４８】
まず、本実施形態のアプリケーションを起動し、測定を開始する指示信号（利用者の入力信号など）を受信すると（Ｓ２００１）、加速度センサーより加速度データを取得する（Ｓ２００２）。そして、加速度データを分析するための演算式を取り出すと（Ｓ２００３）、取り出した演算式を利用して加速度データを分析し（Ｓ２００４）、分析結果を一時保存する（Ｓ２００５）。
【０１４９】
その後、携帯端末装置の傾きを検知するまで（Ｓ２００６）、前記処理（Ｓ２００２〜Ｓ２００５）を繰り返す。そして、携帯端末装置の傾きを検知すると（Ｓ２００６）、分析結果に応じた動作描写情報を取り出し（Ｓ２００７）、動作描写情報を音声情報として出力する（Ｓ２００８）。
【０１５０】
その後、測定を終了する指示信号（利用者の入力信号など）を受信するまで（Ｓ２００９）、前記処理（Ｓ２００２〜Ｓ２００８）を繰り返す。そして、測定を終了する指示信号（利用者の入力信号など）を受信すると（Ｓ２００９）、機能を終了する。
<実施形態６の効果>
【０１５１】
本実施形態の携帯端末装置により、利用者は、現時点で実施しているウォーキングやランニングなどの行為中に、面倒な操作をすることなく、容易に、当該ウォーキングなどに関する歩数や歩行時間などに応じた動作描写情報を取得することができる。そして、取得した動作描写情報により、「もう少し頑張ろう」という気持ちになることができる。その結果、一回の運動量を増やすことができ、体力増加や健康維持などの効果を効率的に得ることができる。
【図面の簡単な説明】
【０１５２】
【図１】実施形態１の機能ブロック図
【図２】加速度データの一例を示す概念図
【図３】実施形態１のハードウェア構成の一例を示した概念図
【図４】実施形態１の処理の流れを示すフローチャート
【図５】実施形態２の機能ブロック図
【図６】分析結果履歴データの一例を示す概念図１
【図７】実施形態２のハードウェア構成の一例を示した概念図
【図８】実施形態２の処理の流れを示すフローチャート
【図９】実施形態３の機能ブロック図
【図１０】実施形態３の処理の流れを示すフローチャート
【図１１】分析結果履歴データの一例を示す概念図２
【図１２】実施形態４の機能ブロック図
【図１３】実施形態４のハードウェア構成の一例を示した概念図
【図１４】実施形態４の処理の流れを示すフローチャート
【図１５】実施形態５の機能ブロック図
【図１６】実施形態５のハードウェア構成の一例を示した概念図
【図１７】実施形態５の処理の流れを示すフローチャート
【図１８】実施形態６の機能ブロック図
【図１９】実施形態６の機能を説明するための概念図
【図２０】実施形態６の処理の流れを示すフローチャート
【符号の説明】
【０１５３】
０１００    携帯端末装置
０１０１    加速度センサー
０１０２    加速度センサー取得部
０１０３    演算式格納部
０１０４    分析部
０１０５    テーブル保持部
０１０６    動作描写情報取得部
０１０７    動作描写情報出力部
【図１】
0005063420.tif 000002
【図２】
0005063420.tif 000003
【図３】
0005063420.tif 000004
【図４】
0005063420.tif 000005
【図５】
0005063420.tif 000006
【図６】
0005063420.tif 000007
【図７】
0005063420.tif 000008
【図８】
0005063420.tif 000009
【図９】
0005063420.tif 000010
【図１０】
0005063420.tif 000011
【図１１】
0005063420.tif 000012
【図１２】
0005063420.tif 000013
【図１３】
0005063420.tif 000014
【図１４】
0005063420.tif 000015
【図１５】
0005063420.tif 000016
【図１６】
0005063420.tif 000017
【図１７】
0005063420.tif 000018
【図１８】
0005063420.tif 000019
【図１９】
0005063420.tif 000020
【図２０】
0005063420.tif 000021